(57)【要約】【課題】ミストを伴う白水を外部へ流出させることなく、排水できるセーブオール構造を提供する。【解決手段】抄紙機における脱水の受入れ部と、排水路ＤＰとの間に脱水流路５０を設け、脱水流路５０は、底壁５２と、両側の側壁５５と、天井５４として暗渠構造にした。脱水流路５０に天井５４があるので、排水中にミストを伴う白水が外部に飛散しない。また、天井５４を第２の排水路に使えるので、受入れ部以降で脱水された水も排水でき、排水効果が高い。排水路ＤＰに脱気装置６１を接続しているので、脱気装置６１によって、暗渠構造の脱水流路５０内を負圧にすることができるので、ミストの飛散を効果的に防止できる。【選択図】　　　　図１
2004019080.tif 000002
【特許請求の範囲】
【請求項１】
抄紙機における脱水の受入れ部と、排水路との間に脱水流路を設け、
該脱水流路は、底壁と、両側の側壁と、天井とからなる暗渠構造にした
ことを特徴とする抄紙機のセーブオール構造。
【請求項２】
前記排水路に脱気装置を接続した
ことを特徴とする請求項１記載の抄紙機のセーブオール構造。
【発明の詳細な説明】
【０００１】
【発明の属する技術分野】
本発明は、抄紙機のセーブオール構造に関する。
【０００２】
【従来の技術】
抄紙機の一例として、ツインワイヤ式抄紙機を図３に基づき説明する。
１はフォーミングロール、２はブレストロールで、これらのロール１，２は互いに接近して配置され、後述する上下部フォーミングワイヤのニップ部Ｎを構成している。３は上部フォーミングワイヤ（以下、上部ワイヤという）で、フォーミングロール１と複数のガイドロール１１にエンドレスに巻き掛けられて、ワイヤパートの上半分領域で循環する。４は下部フォーミングワイヤ（以下、下部ワイヤという）で、ブレストロール２と複数のガイドロール１２にエンドレスに巻き掛けられて、ワイヤパートの下半分領域で循環する。
前記上部ワイヤ３がフォーミングロール１に巻き掛けられた部分と、前記下部ワイヤ４がブレストロール２に巻き掛けられた部分は、ワイヤ３，４が互いに接近する方向に走行する部分であり、側面視で漏半状の開口部を形成している。そして、開口部の奥底が、フォーミングロール１とブレストロール２で挟まれるニップ部Ｎであり、そこから各ワイヤ３，４の走行方向下流側において、各ワイヤ３，４が重なって走行する領域の内部が紙層を形成するフォーミングゾーンを構成している。
そして、前記開口部に臨むように、ヘッドボックス６が配置されており、紙料懸濁液（以下、紙料液という）を前記ワイヤ３，４間に噴出させるようにしている。このようにして紙料液がフォーミングギャップに供給される。この紙料液は、パルプと水の割合（重量）が約１対１００　の懸濁液である。
【０００３】
前記フォーミングロール１の後方であって、前記上部ワイヤ３の上方には、サクションボックス３０が設けられている。このサクションボックス３０はフォーミングギャップを通過していく紙料液から水分の数１０％を吸引するために設けられている。さらに、このサクションボックス３０の下面には数本の固定ブレード７が固定されており、上部ワイヤ３をガイドするようにしている。
【０００４】
上記サクションボックス３０の下方領域において、下部ワイヤ４の下面には可動式のブレード８が配置されており、下部ワイヤ４を下方から支えている。この可動式ブレード８は、側面視で略三角形状の箱型に形成されたローディングテーブル９によって支持されている。このローディングテーブル９の上板９ａは、ワイヤの走行方向に間隔をあけて並んで配設された複数枚の板から構成されている。また、上板９ａは、前板９ｂ、背板９ｃによって支持されており、両者の下端間には開口部が設けられている。
【０００５】
上記のごとき構成であるから、紙料は、フォーミングロール１とブレストロール２に挟まれたニップ部Ｎと上下のブレード７，８との間を通過する間に、上下ワイヤ３，４で搬送されながら大部分の水分が除去されて紙層に形成されていく。
【０００６】
サクションボックス３０に吸引された水は図示しない排水管を通して機外へ排出され、可動ブレード８部分から下方に落下した水は、ローディングテーブル９の上板９ａの間から下方に流れ落ちてローディングテーブル９内に入り、前板９ｂと背板９ｃの間の開口から底壁５２上に落下される。そして、底壁５２上に落下した水は、底壁５２によってワイヤパートの中央部に設けた排水口５１へ誘導され、排水口５１から排水管を通して機外へ排出される。
【０００７】
【発明が解決しようとする課題】
上記のごときロール＆ブレード形ギャップフォーマーでは、フォーミングロール部で下部ワイヤ４を通して大量のパルプを含む水（以下、白水という）が脱水される。そして、下部ワイヤ４を通過するときに、白水の一部はミストとなるため、このミストをうまく回収しないと、ミストが抄紙機内部に溜まったり、外部に流出して周辺環境を汚染する。
【０００８】
本発明はかかる事情に鑑み、ミストを伴う白水を外部へ流出させることなく、排水できるセーブオール構造を提供することを目的とする。
【０００９】
【課題を解決するための手段】
請求項１の抄紙機のセーブオール構造は、抄紙機における脱水の受入れ部と、排水路との間に脱水流路を設け、該脱水流路は、底壁と、両側の側壁と、天井とからなる暗渠構造にしたことを特徴とする。
請求項２の抄紙機のセーブオール構造は、請求項１記載の発明において、前記排水路に脱気装置を接続したことを特徴とする。
【００１０】
請求項１の発明によれば、脱水流路に天井があるので、排水中にミストを伴う白水が外部に飛散しない。また、天井を第２の排水路に使えるので、受入れ部以降で脱水された水も排水でき、排水効果が高い。
請求項２の発明によれば、脱気装置によって、暗渠構造の脱水流路内を負圧にすることができるので、ミストを脱水流路内に吸引することができ、ミスとの飛散を効果的に防止できる。
【００１１】
【発明の実施の形態】
つぎに、本発明の実施形態を図面に基づき説明する。
図１はツインワイヤ式抄紙機のワイヤパートの全体側面図である。図２は図１のＩＩ−ＩＩ線断面矢視図である。
図１および図２において、符号５１は後述する側壁５５に設けられた排水口でありワイヤパートの略中央部に設けられている。そして、この排水口５１には排水路ＤＰが接続されており、排水口５１からワイヤパート内の白水を機外に設けられた貯水槽ＳＴに排出するようになっている。そして、この貯水槽ＳＴに排出された白水は、原料と混合され再び紙料として利用される。
【００１２】
さて、本発明のセーブオール構造を説明する。
図１に示すように、可動ブレード８の下方において、この可動ブレード８が配設された領域から前記排水口５１までの間には、脱水流路５０の第１底壁５２が設けられている。この第１底壁５２は、その先端がブレストロール２の近傍まで延びており、その先端から排水口５１に向けて下傾するように配設されている。
【００１３】
この第１底壁５２の上方かつ下部ワイヤ４の下方には、天井５４が設けられている。この天井５４は、その前端（図１では右端）が、可動ブレード８を取付けているローディングテーブル９の背板９ｃの後方まで延びており、この背板９ｃとの間は、図示しないゴムシートによって液密に保たれている。一方、天井５４の後端は、前記排水口５１が設けられた部分の上方まで延びている。そして、天井５４は、その前端から後端に向けて下傾するように配設されている。
【００１４】
また、図２に示すように、前記第１底壁５２と天井５４の間および底壁５２とローディングテーブル９の間には、その左右両端間に一対の側壁５５，５５が設けられている。前述したように、この一対の側壁５５　，５５のうち一方の側壁５５（図２では右側）には、排水口５１が設けられている。
【００１５】
このため、脱水流路５０は、ブレストロール２の後方領域、および可動ブレード８が配設された領域から排水口５１までの間が、ローディングテーブル９、第１底壁５２、天井５４、および一対の側壁５５，５５によって筒状の暗渠構造となっているから、ブレストロール２と可動ブレード８との間の領域から落下した白水、および可動ブレード８からローディングテーブル９を通って底壁５２上に落下した白水が外部に飛散することを防ぐことができる。そして、白水を確実に排水口５１に案内することができるから、排水口５１から排水管ＤＰを通して貯水槽ＳＴに確実に排出することができる。
上記の脱水流路５０において、ブレストロール２とローディングテーブル９の前板９ｂの間の部分、および第１底壁５２と天井５４の前端の間の部分が、特許請求の範囲にいう脱水の受け入れ部である。
【００１６】
図２に示すように、前記一対の側壁５５，５５の上端は、天井５４の上面より上方まで延びており、天井５４の上面も排水路として機能できる構造となっている。そして、天井５４の後端の下方には、前端が前記第１底壁５２の後端に接続された第２底壁５３が設けられており、この第２底壁５３は、その後端から前端に向かって下傾するように配設されている。
【００１７】
このため、可動ブレード８より後方の下部ワイヤ４から落下した白水は天井５４によって直接受けとめられるが、天井５４に落下した白水を第２底壁５３に落下させて、第２底壁５３によって排水口５１に導入することができる。
同様に、ローディングテーブル９の背板９ｃを越えて下方に落下する白水も、ローディングテーブル９の背板９ｃと天井５４上面によって案内され、第２底壁５３に落下させることができるので、第２底壁５３によって排水口５１に導入することができる。
したがって、脱水流路５０の天井５４の上面も第２の排水路として使用できるので、受入れ部以降で脱水された白水等も確実に排水でき、排水効果が高くなる。
なお、可動ブレード８より後方の下部ワイヤ４から落下した白水のうち、第２底壁５３に落下した白水も当然に排水口５１に導入される。
【００１８】
また、図２に示すように、排水路ＤＰには、配管６２を介して公知のブロア等、排水路ＤＰ内の空気を吸引することができる脱気装置６１を接続している。このため、排水路ＤＰ内の空気とともにワイヤパート内の空気、特に第１底壁５２等で形成された暗渠構造の内部の空気を吸引して、その部分を負圧とすることができる。
よって、白水が可動ブレード８から落下したときに発生するミストを確実に排水流路５０内に集めることができ、ミストの飛散を効果的に防ぐことができる。
【００１９】
上記のごとく、本発明のセーブオール構造によれば、ミストを伴う白水を外部へ流出させることなく、排水できるという効果を奏する。
【００２０】
【発明の効果】
請求項１の発明によれば、脱水流路に天井があるので、排水中にミストを伴う白水が外部に飛散しない。また、天井を第２の排水路に使えるので、受入れ部以降で脱水された水も排水でき、排水効果が高い。
請求項２の発明によれば、脱気装置によって、暗渠構造の脱水流路内を負圧にすることができるので、ミストの飛散を効果的に防止できる。
【図面の簡単な説明】
【図１】本発明のセーブオール構造が採用されたツインワイヤ式抄紙機のワイヤパートの全体側面図である。
【図２】図１のＩＩ−ＩＩ線断面矢視図である。
【図３】従来のツインワイヤ式抄紙機のワイヤパートの全体側面図である。
【符号の説明】
５０　　　　脱水流路
５２　　　　底壁
５４　　　　天井
５５　　　　側壁
６１　　　　脱気装置
【図１】
2004019080.tif 000003
【図２】
2004019080.tif 000004
【図３】
2004019080.tif 000005